(57)【要約】【課題】手持ち状態での操作性と、置き竿状態での操作性の両方を向上させた魚釣用電動リールを提供する。【解決手段】本発明に係る魚釣用電動リールは、スプール７を回転駆動する駆動モータ８と、左右側板５Ａ，５Ｂ間のスプールの上方に配置され、駆動モータ８を制御する制御部を具備する制御ケース１５と、釣竿とともにリール本体を把持保持した状態の手の親指が届く位置に配設され、駆動モータ８の出力を調整する第１操作部材２５と、左右側板のいずれかに配設され、駆動モータ８の出力を調整する第２操作部材３０とを有する。【選択図】図１
2011250705.tif 000002
【特許請求の範囲】
【請求項１】
リール本体の左右側板間に設けられ、釣糸が巻回されるスプールと、
前記スプールを回転駆動する駆動モータと、
前記リール本体に配置され、前記駆動モータを制御する制御部を具備する制御ケースと、
釣竿とともに前記リール本体を把持保持した状態の手の親指が届く位置に配設され、前記駆動モータの出力を調整する第１操作部材と、
前記左右側板のいずれかに配設され、前記駆動モータの出力を調整する第２操作部材と、を有することを特徴とする魚釣用電動リール。
【請求項２】
前記第２操作部材は第１操作部材より大きく、指で摘むことが可能な摘み部を有することを特徴とする請求項１に記載の魚釣用電動リール。
【請求項３】
前記制御部は、第１操作部材による駆動モータの可変範囲と、第２操作部材による駆動モータの可変範囲を異なるように制御可能であることを特徴とする請求項１又は２に記載の魚釣用電動リール。
【請求項４】
前記第１操作部材は、回転式に構成されることを特徴とする請求項１から３のいずれか１項に記載の魚釣用電動リール。
【請求項５】
前記第１操作部材は、略円筒形状に構成されることを特徴とする請求項４に記載の魚釣用電動リール。
【請求項６】
前記第１操作部材は、前記左右側板間において両軸支持されていることを特徴とする請求項４又は５に記載の魚釣用電動リール。
【請求項７】
前記第１操作部材は、可動角度θ１で回転操作可能であり、前記第２操作部材は可動角度θ２で回動操作可能なレバー式に構成され、θ１＞θ２としたことを特徴とする請求項４から６のいずれか１項に記載の魚釣用電動リール。
【請求項８】
前記第１操作部材は、前記スプールの上方で左右側板間に配設されることを特徴とする請求項１から７のいずれか１項に記載の魚釣用電動リール。
【請求項９】
前記制御部は、前記第１操作部材及び第２操作部材の操作において、後から操作した側からの信号を優先処理することを特徴とする請求項１から８のいずれか１項に記載の魚釣用電動リール。
【請求項１０】
前記制御部は、前記第１操作部材の操作範囲内において前記駆動モータの出力を０から連続的に可変させると共に、前記第１操作部材の同一の操作範囲で前記駆動モータの可変範囲を変更可能であることを特徴とする請求項１から１０のいずれか１項に記載の魚釣用電動リール。
【発明の詳細な説明】
【技術分野】
【０００１】
本発明は、魚釣用電動リールに関する。
【背景技術】
【０００２】
従来、魚釣用電動リールは、主に深場の釣りに適用させるべく、仕掛けの放出から巻き取りに至るまで、釣竿を船縁に装着された竿掛けに置いたままの状態で行えるように構成されたものが多いが、最近では、手持ち状態で操作が行えるように、よりコンパクト化された構成も製品化されている。
【０００３】
一方、魚釣用電動リールは、スプールを巻き取り操作するための操作部材を、様々な位置に配置することが知られている。例えば、特許文献１に開示されているように、リール本体の側板に、モータ出力を連続的に可変できるようなレバータイプに構成したもの、或いは、スライドタイプに構成したもの等を配置することが知られている。また、特許文献２には、制御ケースの上面から円板状の回転摘み（操作部材）の一部を露出させ、上方から親指を押し付けながら回転操作することで、モータ出力を連続的に可変させる構成が開示されている。
【先行技術文献】
【特許文献】
【０００４】
【特許文献１】特開２００１−１６９７００号
【特許文献２】特開２００３−９２９５９号
【発明の概要】
【発明が解決しようとする課題】
【０００５】
上記したように、最近の魚釣用電動リールでは、ルアーフィッシングに用いられる魚釣用（ベイトキャスティング）リールと同様、手持ち状態で操作することが可能なタイプも望まれているが、駆動モータを回転駆動する操作部材に関して改良すべき余地がある。具体的には、前記特許文献１に開示されているタイプの操作部材では、釣竿とともにリール本体を把持した片手で、釣糸巻き取り操作を行うことはできない。また、特許文献２に開示されているタイプの操作部材では、片手で釣糸巻き取り操作は行えるものの、操作部が制御ケース内に組み込まれているため、揺れる船の上で置き竿状態にしたときの操作が難しく、誤作動させてしまう可能性がある。
【０００６】
本発明は、上記した問題に着目してなされたものであり、手持ち状態での操作性と、置き竿状態での操作性の両方を向上させた魚釣用電動リールを提供することを目的とする。
【課題を解決するための手段】
【０００７】
上記した目的を達成するために、本発明に係る魚釣用電動リールは、リール本体の左右側板間に設けられ、釣糸が巻回されるスプールと、前記スプールを回転駆動する駆動モータと、前記リール本体に配置され、前記駆動モータを制御する制御部を具備する制御ケースと、釣竿とともに前記リール本体を把持保持した状態の手の親指が届く位置に配設され、前記駆動モータの出力を調整する第１操作部材と、前記左右側板のいずれかに配設され、前記駆動モータの出力を調整する第２操作部材と、を有することを特徴とする。
【０００８】
上記した構成の魚釣用電動リールでは、釣竿とともにリール本体を把持保持した状態の手の親指が届く位置に、駆動モータの出力を調整する第１操作部材が配設されているため、サミング操作や、駆動モータの巻き取り操作を違和感なく行うことが可能となる。すなわち、片手でリール本体を把持しながら釣糸巻き取り操作が行える。また、リール本体を置き竿状態にしたときには、操作し易い位置（左右側板のいずれか）に配設された第２操作部材を操作することで、誤操作することなく釣糸の巻き取りが行える。
【発明の効果】
【０００９】
本発明によれば、手持ち状態での操作性と、置き竿状態での操作性の両方を向上させた魚釣用電動リールが得られる。
【図面の簡単な説明】
【００１０】
【図１】本発明に係る魚釣用電動リールの第１の実施形態を示す平面図。
【図２】図１に示す魚釣用電動リールをハンドル側から見た側面図。
【図３】図１に示す魚釣用電動リールを反ハンドル側から見た側面図。
【図４】図１に示す魚釣用電動リールを後方側から見た図。
【図５】図１のＡ−Ａ線に沿った断面図。
【図６】釣竿とともにリール本体を把持して操作部材を操作する状態を示す平面図。
【図７】図６に示す魚釣用電動リールを後方側から見た図。
【図８】（ａ）は第１操作部材の断面図、（ｂ）は第２操作部材の側面図。
【図９】（ａ）は第２操作部材の操作角度を示す図、（ｂ）は第１操作部材の操作角度を示す図。
【図１０】制御ケース内に収容される制御部の構成を示すブロック図。
【図１１】制御部において実行される第１操作部材及び第２操作部材による操作処理手順を示すフローチャート。
【図１２】制御部において実行される第１操作部材及び第２操作部材による操作処理手順の変形例を示すフローチャート。
【図１３】制御部において駆動モータを制御する手法を示し、デューティ比と、各操作部材の操作角度との関係を示すグラフ。
【図１４】制御部において駆動モータを制御する手法を示し、デューティ比と、第１操作部材の操作角度との関係を示すグラフ。
【図１５】第１操作部材の第１の変形例を示す図であり、（ａ）は制御ケース部分を示す平面図、（ｂ）は操作部材の断面図、（ｃ）は操作部材の側面図。
【図１６】第１操作部材の第２の変形例を示す図であり、（ａ）は制御ケース部分を示す平面図、（ｂ）は操作部材の断面図、（ｃ）は操作部材の側面図。
【図１７】第１操作部材の第３の変形例を示す図であり、（ａ）は制御ケース部分を示す平面図、（ｂ）は操作部材の断面図、（ｃ）は操作部材の側面図。
【図１８】本発明に係る魚釣用電動リールの第２の実施形態を示す図であり、（ａ）は平面図、（ｂ）は第１操作部材を後方側から見た図、（ｃ）は第２操作部材をハンドル側から見た図。
【図１９】本発明に係る魚釣用電動リールの第３の実施形態を示す図であり、（ａ）は平面図、（ｂ）は第１操作部材を後方側から見た図、（ｃ）は第２操作部材をハンドル側から見た図。
【発明を実施するための形態】
【００１１】
以下、図面を参照しながら本発明の実施形態について説明する。
図１から図７は、本発明に係る魚釣用電動リールの第１の実施形態を示しており、図１は平面図、図２は魚釣用電動リールをハンドル側から見た側面図、図３は魚釣用電動リールを反ハンドル側から見た側面図、図４は魚釣用電動リールを後方側から見た図、図５は図１のＡ−Ａ線に沿った断面図、図６は釣竿とともにリール本体を把持して操作部材を操作する状態を示す平面図、そして、図７は図６に示す魚釣用電動リールを後方側から見た図である。
【００１２】
本実施形態の魚釣用電動リール１は、左右のフレーム３ａ，３ｂに左右カバー４ａ，４ｂを取着して構成される左右側板５Ａ，５Ｂを具備したリール本体５を有している。前記リール本体５を構成する一方の側板（右側板５Ｂ）側には、巻取り操作される手動ハンドル６が設けられており、左右側板５Ａ，５Ｂ間には、釣糸が巻回されるスプール７が回転可能に支持されている。また、本実施形態では、図５に示すように、前記スプール７の前方側における左右側板間に駆動モータ８を保持しており、前記スプール７は、前記手動ハンドル６の巻取り操作、及び駆動モータ８の回転駆動によって、動力伝達機構１０を介して釣糸巻取り方向に回転駆動される。
【００１３】
なお、駆動モータ８については、スプール７の内部に設置する構成であっても良いが、本実施形態のように、スプール７の前方に設置することで、スプールの糸巻き量を確保しつつ、リール本体５を可及的にコンパクト化することが可能となる。また、前記動力伝達機構１０については、駆動モータ８の回転駆動力を減速してスプール側に伝達する機能、駆動モータ８が回転駆動しても手動ハンドル６を連れ回しさせない機能、手動ハンドル６の逆回転を防止する機能などを備えた公知のものによって構成することが可能である。また、そのような動力伝達機構１０については、左側板５Ａ側に配設されていても良いし、右側板５Ｂ側に配設されていても良く、或いは、左右側板それぞれに振り分けて配設されていても良い。
【００１４】
また、前記スプール７の前方の左右側板５Ａ，５Ｂ間には、スプール７に対して均等に釣糸を巻回する機能を備えた公知のレベルワインド機構１２が設置されている。さらに、リール本体を構成する前記左右側板５Ａ，５Ｂ間のスプール７の上方には、前記駆動モータ８を制御する制御部を具備する制御ケース１５が配設されている（制御部の構成については後述する）。この制御ケース１５は、その表面が左右側板５Ａ，５Ｂの表面と面一状に構成されている。
【００１５】
また、前記リール本体５内には、スプール７を釣糸巻き取り状態／フリー回転状態に切り換える公知のクラッチ機構１７が配置されている。このクラッチ機構１７は、上記した動力伝達機構１０に介在されて手動ハンドル６及び駆動モータ８からの動力伝達を継脱する機能を備えており、本実施形態では、右側板５Ｂ側に設置されている。このクラッチ機構１７を構成するクラッチプレートには、動力伝達をＯＮ状態からＯＦＦ状態に切り換えるクラッチＯＦＦ切り換え部材１８と、動力伝達をＯＦＦ状態からＯＮ状態に切り換えるクラッチＯＮ切り換え部材１９が係合している。
【００１６】
本実施形態におけるクラッチＯＦＦ切り換え部材１８は、スプール７をサミングしながら操作が可能となるように、スプール７の後方側の左右側板５Ａ，５Ｂ間に橋設された構成となっており、図５に示す状態から押し下げ操作することで、クラッチ機構１７をＯＮ状態からＯＦＦ状態に切り換えるよう構成されている。また、クラッチＯＦＦ切り換え部材１８は、図示されていない振り分け保持バネによって、図５に示すクラッチＯＮ位置とそこから押し下げられたクラッチＯＦＦ位置（図示せず）との間で振り分け保持される。
【００１７】
また、本実施形態におけるクラッチＯＮ切り換え部材１９は、右側板５Ｂ側に設置されており、図示されていない振り分け保持バネによって、クラッチＯＮ位置とクラッチＯＦＦ位置との間で揺動可能となるよう振り分け保持されている。この場合、前記クラッチＯＮ切り換え部材１９は、クラッチＯＮ状態では、図５に示すように、その表面（操作部）が右側板５Ｂの表面と略面一状となり、クラッチＯＦＦ状態では、右側板５Ｂの表面から突出して押圧操作可能な状態となるように、揺動可能に支持されている。
【００１８】
前記リール本体５には、駆動モータ８に対して電力を供給するための給電部２０が設けられている。この給電部２０は、左側板５Ａの前方側の下面領域に形成されており、この給電部２０に対しては、着脱可能な携帯バッテリ２２（図７参照）を装着したり、或いは、釣り船に設置されている電源部から電力供給される給電コードが装着される。
【００１９】
前記制御ケース１５は、図５に示すように、スプール７の上方で、その回転軸（スプール軸７ａ）付近から前方側のレベルワインド機構１２、及び駆動モータ８を覆うような大きさを備えており、その後端部分に、駆動モータ８の出力を調整する第１操作部材２５が配置されている。
【００２０】
また、左右側板のいずれか一方、好ましくは、手動ハンドル６が装着されている側の右側板５Ｂには、第１操作部材２５と同様、駆動モータ８の出力を調整する第２操作部材３０が配置されている。
以下、本実施形態における第１操作部材２５、及び第２操作部材３０の構成について詳細に説明する。
【００２１】
前記第１操作部材２５は、リール本体５を、リール脚取付け部５ａを介して釣竿Ｒに装着した際に、図７に示すように、釣竿Ｒとともに前記リール本体を把持保持した状態の手の親指Ｔが届く位置に配設されている。具体的には、スプール７に釣糸Ｓが巻回された状態で、その表面をサミング操作しても、サミング操作しながら親指の腹部が当接可能となるようスプールの上方に配設されている。なお、標準的な糸巻量（Ｓ２で示す）から釣糸が繰り出されると、巻回されている釣糸の外径は次第に変化するが、ここでは、釣糸巻回量の半分（５０％；Ｓ１で示す）であっても、十分にサミング操作しながら操作できる位置とされている。
【００２２】
本実施形態における第１操作部材２５は、リール本体５を把持保持しながらの操作が容易に行えるよう回転式に構成されており、より具体的には、略円筒形状に構成され、その外表面（回転表面）が、左右側板間でスプールを露出させる開口領域に面した構成となっている。すなわち、このような略円筒形状にすることで、リール本体５を把持保持しながらの操作がし易くなる。また、図６に示すように、親指Ｔの腹部を押し当てた際、安定性が高くなり、確実な操作をすることができ、単なる円板状の部材と比較しても、接触面積が大きいため、把持保持性も強くなる。
【００２３】
上記した略円筒形状の第１操作部材２５は、図１に示すように、制御ケース１５の後端部１５ａの中央領域に、前方側に向けて窪んだ凹部１５ｂを形成しておき、この凹部１５ｂに回転可能に支持されている。この場合、第１操作部材２５は、その回転軸２５ａの両端が制御ケース１５に対して両軸支持されている。このように、第１操作部材２５を両軸支持する構成としたことで、糸絡みを効果的に防止することが可能となり、また、第１操作部材２５が、スプールの上方で左右側板５Ａ，５Ｂの中央領域に位置することで、リール本体５の重心に対する把持位置のバランスが良くなり、操作性が良く、疲れ難い構成とすることが可能となる。なお、第１操作部材２５の回転軸２５ａについては、リール本体５に対して回転可能に支持されたものであっても良い。また、第１操作部材２５については、片側のみ回転可能に支持（片持ち支持）されたものであっても良い。さらに、第１操作部材２５の外周面には、周方向に沿って多数の凹溝２５ｂが形成されており、回転操作した際、滑り難い構成としている。
【００２４】
ここで、第１操作部材における略円筒形状とは、図に示すように、内部が中実であっても良いし、全体或いは部分的に空洞部があるものを含む概念である。また、その外形状については、本実施形態のように、正確な円筒形状は勿論、周囲に凹凸が形成されていたり、指でつまんだり、当て付けることが可能な突起部が形成されたものであっても良い。或いは、軸方向の中間部分が膨出していたり、窪んでいるなど、軸方向に親指の腹部が当接できて回転操作ができるような外形状を備えたものであれば良い（これらの具体的な構成例については、図１５から図１７を参照しながら後述する）。
【００２５】
また、本実施形態では、制御ケース１５の表面の一部に、第１操作部材２５の両端の表面形状と略面一（互いの表面形状を近似させる）となるように、半円柱状の隆起部１５ｄを形成している。
このように、第１操作部材２５の端部に対向する部分の制御ケースの表面形状を、第１操作部材の端部形状に近似させることで、図６及び図７に示すように、親指Ｔの一部をこの部分に添え、かつ、親指の別部分を第１操作部材２５に添えての操作ができるため、親指が痛くなることなく把持保持を安定させながら操作を確実に行うことが可能となる。特に、これらの図に示すように、親指Ｔを反給電部側にシフトさせることが容易に行えるため、給電部２０にかかる力Ｆによるねじれ負荷に対しての把持保持バランスが向上し、操作性の向上が図れると共に、疲れ難くなる。
【００２６】
なお、上記したような隆起部については、第１操作部材２５の軸方向の少なくとも一端側に形成しておけば良い（好ましくは、反給電部側のみで良い）。また、第１操作部材２５の支持態様によっては、リール本体５を構成する左右側板に、そのような面一状となる隆起部を形成しておいても良い。或いは、そのような隆起部を形成することなく、制御ケース１５そのものを肉厚にして、第１操作部材２５の表面形状と近似するような表面形状としても良い。
【００２７】
また、前記制御ケース１５の下面には、第１操作部材２５の誤動作を防止するために、第１操作部材とスプール７との間に位置する誤動作防止部１５ｅを形成しておくことが好ましい。このような誤動作防止部１５ｅを形成することで、釣糸を巻き取った際に、釣糸に付着する海水やゴミなどによって第１操作部材２５が誤動作することを防止することができる。
【００２８】
また、本実施形態では、略円筒状の第１操作部材２５の回転軸２５ａを、スプール７の回転軸７ａと略平行となるように設置している。
このように、略円筒形状の第１操作部材２５の回転軸２５ａを、スプール７の回転軸７ａと略平行（平行を含む）にすることで、リール本体を把持保持した状態で、第１操作部材２５を自由に回転しても、指（親指Ｔ）の位置が横方向にずれ難く、図６の矢印で示すように、前後方向にしか移動しないため、ねじれ方向の負荷が変化することはなく疲れ難くなる。すなわち、親指Ｔの位置が大きく横にずれてしまうと、リール本体の重心や給電部２０にかかる力（図に示すように、給電部２０は側部に設けられているため、給電コードに引っ張られる力や携帯バッテリの重量負荷などで、釣竿Ｒの長手軸を中心に回転負荷による力がかかり易い）によるねじれ負荷に対し、操作性が低下したり疲れ易くなってしまう。
【００２９】
前記右側板５Ｂ側に設けられた第２操作部材３０は、もっぱら、置き竿にする際に操作される部分となる。すなわち、手持ち時（着底、糸フケ取り、誘い、シャクリ、合わせ直後の巻き取り）については、手持ち状態で使い易い第１操作部材２５を使用し、置き竿時（仕掛け回収の所謂空巻きや、特に大物でない場合の巻き取りなど）には、置き竿状態で操作のし易い第２操作部材３０を使用できるため、それぞれの場面での操作性の向上が図れ、疲れ難い構成となる。
【００３０】
第１操作部材２５と第２操作部材３０との関係については、第２操作部材３０の方が第１操作部材２５より大きく、かつ、指で摘むことが可能な摘み部を有する構成にすることが好ましい。具体的には、図８（ｂ）に示すように、摘み部を有するように、第２操作部材３０を回動操作可能なレバー方式とすることができ、このような構成において、第２操作部材３０を、第１操作部材２５より大きく構成することが好ましい。なお、ここでの大きさとは、両部材の操作位置（実際に操作量を特定する部分）によって特定され、第１操作部材２５では、操作量が特定される外周面位置となる動作径（Ｌ１）であり、第２操作部材３０では、操作量が特定されるレバー部３０ａの先端までの動作径（Ｌ２）となる。すなわち、第１操作部材２５及び第２操作部材３０は、Ｌ１＜Ｌ２となるように、構成することが好ましい。
【００３１】
このように、第１操作部材２５を小さくすることにより、駆動モータの変速に必要な動作部品（動作径）が小さくなり、手持ち時に必要な素早い操作（仕掛け着底直後の糸フケ取り、シャクリ直後の糸フケ取り、シャクリで竿を上げたときの合わせ、巻き取り等）が可能となる。一方、第２操作部材３０を大きくしたことで、揺れる船の上で置き竿としても、指で摘み易くなり、仕掛け回収などの操作をスムーズに行えるようになる。
【００３２】
また、上記したような第１操作部材２５、及び第２操作部材３０の構成においては、図９（ａ）及び（ｂ）に示すように、第１操作部材２５の可動角度θ１＞第２操作部材の可動角度θ２と設定しておくことが好ましい。具体的に、本実施形態では、第１操作部材２５の可動角度θ１を１６０°としてあり、第２操作部材の可動角度θ２を１２０°としてある。
【００３３】
このような構成によれば、第１操作部材２５の大きさ（操作径）が小さくても、充分な可動範囲をとることができるため、駆動モータの速度が急激に上昇することを防止することができる。また、可動範囲が長くなることで、第２操作部材３０の操作と同様、速度を微調整することが容易に行えるようになる。
【００３４】
上記した制御ケース１５には、駆動モータ８の駆動を制御する制御部（制御基板）が収容されており、第１操作部材２５、及び第２操作部材３０の操作量に応じて駆動モータ８の出力を調整するようになっている。この場合、制御部は、第１操作部材２５、及び第２操作部材３０を前方に向けて回転（回動）操作することで、駆動モータ８の出力が上昇するように設定されている。すなわち、釣糸の巻き取りをする際、サミングしている親指をそのまま前方に延ばして、第１操作部材２５を押し上げるような操作をすることで釣糸の巻き取り操作が行えるため、操作性の向上が図れるようになる。また、第２操作部材３０については、手動ハンドル６を巻きながら、そのまま同方向に回動して釣糸を巻き取り操作することが可能となる。
【００３５】
なお、各操作部材２５，３０の操作量と駆動モータ８の出力との関係については任意であるが、本実施形態では、図９に示すように、第１操作部材２５の基準位置Ｐ１をモータの出力値０として、１６０°前方に回転操作した際、モータ出力がＭａｘになるように設定されると共に、第２操作部材３０の基準位置Ｐ２をモータの出力値０として、１２０°前方に回動操作した際、モータ出力がＭａｘになるように設定されている。
【００３６】
次に、前記制御ケース１５の構成、及び制御ケース１５に収容される制御部の構成について説明する。なお、制御ケース１５の表面には、繰り出された釣糸の長さ（糸長情報）などを表示する表示部（液晶表示部）１６が設けられており、また、その周囲には、各種の情報が設定可能な操作ボタン１６ａ，１６ｂが配設されている。
【００３７】
図１０は、制御ケース１５に収容されて、上記した構成の魚釣用電動リールの動作を制御する制御部の構成を示すブロック図である。
【００３８】
制御ケース１５に収容される制御部１００は、魚釣用電動リールの動作を制御するＣＰＵ（Central Processing Unit）１１０、糸長を計測したり、駆動モータの出力を可変制御するための各種プログラムや設定情報などを記憶したＲＯＭ（Read Only Memory）１１１、一時記憶領域としてのＲＡＭ（Random Access Memory）１１２を実装した制御基板（マイクロコンピュータ）１２０を備えており、この制御基板１２０には、Ｉ／Ｏポート１１５を介して、各作動要素との間で信号の送受信がなされ、動作が制御されるようになっている。
【００３９】
具体的には、制御基板１２０との間では、前記第１操作部材２５及び第２操作部材３０の操作量を検知する検知手段、具体的には、第１操作部材２５の操作角度に応じて操作位置信号を出力する第１角度センサ１３０及び第２操作部材３０の操作角度に応じて操作位置信号を出力する第２角度センサ１４０、スプール７に巻回されている釣糸の繰り出し量を検知することが可能な糸長計測装置１５０、制御ケース１５上に設けられた液晶表示部１６に対して各種の情報を表示させる表示制御回路１６０、制御ケース１５上に設けられた操作ボタン１６ａ，１６ｂ、及び駆動モータ８の出力を停止状態から高出力値まで連続的に増減調整するモータ駆動回路１７０との間で信号の送受信がされるよう構成されている。すなわち、ＣＰＵ１１０は、ＲＯＭ１１１に格納されている所定のプログラムを実行し、これに応じて生成される制御信号を、Ｉ／Ｏポート１１５を介して上記した各作動要素に供給することで各作動要素を制御し、魚釣用電動リール全体を制御する機能を有する。
【００４０】
また、前記ＲＯＭ１１１は、ＣＰＵ１１０によって実行される各種プログラムや、制御処理に必要とされるデータ（例えば、糸長計測装置１５０から入力される検知信号に基づいて糸長を計測する演算プログラム、第１操作部材２５及び第２操作部材３０の操作角度とそれに対応して駆動モータ８の回転速度を可変させるデューティ比を特定する可変制御テーブル、液晶表示部１６で文字や数字などの画像を表示させるための画像表示データなど）が記憶されている。また、前記ＲＡＭ１１２は、作業領域を備えており、前記プログラムが作動している際に、処理手順やデータなどを一時的に記憶する機能を備えている。
【００４１】
前記操作ボタン１６ａ，１６ｂは、例えば、投入した仕掛けを所望の深さで停止させる深さ情報、駆動モータ８の出力の可変範囲を変更する出力範囲設定情報など、釣り人から各種の情報を受け付ける。
【００４２】
前記糸長計測装置１５０は、スプール７が釣糸の繰り出し／巻き取りで回転駆動された際、例えば、回転部分に装着されたマグネットと、これを検知する磁気センサによって実際の回転量や回転方向を検知し、その検知信号を生成する。
【００４３】
また、前記モータ駆動回路１７０は、スプール７を回転駆動する駆動モータ８を駆動制御する機能を備える。具体的には、モータ駆動回路１７０は、例えば、前記ＣＰＵ１１０からの制御信号（ＰＷＭ信号；パルス幅変調信号）に基づいて、駆動モータに対する駆動電流通電時間率（デューティ比）を可変制御し、駆動モータ８を停止状態（ＯＦＦ状態）から高速回転状態（Ｍａｘ状態）まで連続的に増減調節する。なお、前記ＣＰＵ１１０からは、第１操作部材２５及び第２操作部材３０の初期位置（ＯＦＦ位置）から実際の操作量を検知する角度センサによる検知信号に基づいて、角度毎に設定されているデューティ比に関する制御信号が出力される。
【００４４】
前記表示制御回路１６０は、前記ＣＰＵ１１０の制御に基づいて駆動され、液晶表示部１６に対して、例えば、現在の釣糸の繰り出し量、仕掛けを投入してからの時間、駆動モータ８の駆動速度（インジケータによる表示でも良い）、或いは、操作方法やメッセージなど、釣り人に対して各種情報を表示させる機能を有する。
【００４５】
前記角度センサ１３０，１４０は、各操作部材２５，３０の操作角度に応じた信号を生成する機能を備えたものであれば良く、例えば、操作部材の操作量に応じた抵抗値の変化を出力するポテンショメータを備えたもの、或いは、操作量に応じたパルスを生成するエンコーダを備えたものなど、様々な構造のものを適用することが可能である。
【００４６】
次に、図１１のフローチャートを参照して、制御部１００において実行される第１操作部材２５及び第２操作部材３０による操作処理手順を説明する。
【００４７】
最初、第１操作部材２５及び第２操作部材３０がＯＦＦ位置にあるか否かが判断される（ステップＳ１）。これは、例えば、操作部材２５，３０が、誤って駆動モータが駆動される可動範囲に位置していた場合において、電源を入れたときに駆動モータが回転駆動されないようにするセーフティ機能としての役目を果たす。
【００４８】
第１操作部材２５及び第２操作部材３０がＯＦＦ位置にあると判断されれば（ステップＳ１；Ｙｅｓ）、引き続いて、第１操作部材２５又は第２操作部材３０から操作信号が入力されるのを待つ（ステップＳ２）。これは、角度センサ１３０，１４０からの検知信号の入力が該当する。
【００４９】
第１操作部材２５又は第２操作部材３０から操作信号が入力されれば（ステップＳ２；Ｙｅｓ）、その操作部材はＯＮ状態となり、その操作部材の操作に基づいてモータの可変制御が実行される（ステップＳ３）。そして、この状態で、ＯＦＦ状態となっている操作部材から操作信号が入力されなければ（ステップＳ４；Ｎｏ）そのままＯＮ状態となっている操作部材の操作に基づいてモータの可変制御が実行される（ステップＳ５）。
【００５０】
なお、ＯＮ状態となっている操作部材については、常時、ＯＦＦ操作される（初期位置に戻される）か否かが判断され（ステップＳ６）、ＯＦＦ操作されなければ、ＯＦＦ状態となっている操作部材からの操作信号の有無を検知する（ステップＳ６；Ｎｏ、ステップＳ４）。この場合、ＯＦＦ状態にある操作部材から操作信号の入力があると、それまでＯＮ状態にあった操作部材をＯＦＦにし、かつ操作のあった操作部材をＯＮにする（ステップＳ１０；操作部材の切り換え処理）。そして、ＯＮにした操作部材による操作によってモータを可変制御する（ステップＳ５）。すなわち、制御部では、常に後から操作された操作部材からの信号を優先処理するため、別途、両操作部材間で切り換え処理をする必要性がなく、操作部材の変更がスムーズに行えるようになる。
【００５１】
そして、ＯＮ状態となっている操作部材が、釣り人の操作によってＯＦＦ位置に戻されると、再度、上記の処理が繰り返される（ステップＳ６；Ｙｅｓ）。
【００５２】
上記の処理手順は一例を示したに過ぎず、例えば、２つの操作部材２５，３０については、いずれも一度ＯＦＦ位置に戻さないと、別の操作部材が操作できないように制御しても良い。或いは、図１２の処理手順に示すように、図１１に示す処理手順のステップＳ１０の操作部材の切り換え処理の前に、ＯＦＦ状態にあった操作部材の操作によるモータ出力値が、現在のモータの出力値以上になるまで回転（回動）操作されないと、ステップＳ１０のモータの切り換え処理を実行しないようにしても良い（ステップＳ８）。
【００５３】
このようにすることで、操作部材の切り換え処理時において、それまで操作していた操作部材によるモータ制御が比較的高速な状態のとき、切り換え処理によって駆動モータの駆動速度が一旦落ち込むようなことがなく、モータの駆動速度がスムーズな状態で操作部材の切り換え処理が実行されるようになる。
【００５４】
また、制御部１００は、第１操作部材２５による駆動モータの可変範囲と、第２操作部材３０による駆動モータの可変範囲を異なるように制御可能にすることが好ましい。
【００５５】
このような制御について、図１３のグラフを参照して説明する。
図１３は、制御部１００において駆動モータ８を制御する手法を示しており、デューティ比と、各操作部材２５，３０の操作角度との関係を示したグラフである。通常の制御においては、制御部１００では、各操作部材２５，３０の操作範囲内において、駆動モータ８の出力を０から連続的に可変させており、最大操作角度まで操作した際、駆動モータ８の回転速度を可変させるデューティ比の範囲を０％から１００％まで連続的（段階的な変化でも良い）に可変するように制御を実施している。
【００５６】
しかし、上記したように、第１操作部材２５は、サミングしているスプールから近接した位置にあり、かつ操作径が小さいことから、僅かな操作量で、急激にモータ速度が上昇する可能性がある。したがって、第１操作部材２５については、操作範囲内において、Ｍａｘ位置になった場合でも、デューティ比が１００％より小さい値（図１３では、５０％に設定してある）の範囲内で可変制御（デューティ比０〜５０％）するように構成する。
【００５７】
このようなモータ制御によれば、例えば、手持ち状態において、仕掛けに魚が掛かって第１操作部材２５を操作しても、誤って急速にモータ速度が上昇することがないため、口切れや仕掛けの切断といったトラブルを防止することが可能となる。
【００５８】
或いは、第１操作部材２５については、図１４に示すように、前記制御部１００において、第１操作部材２５の操作範囲内において、駆動モータ８の出力を０から連続的に可変させると共に、同一の操作範囲で前記駆動モータ８の可変範囲を変更可能に制御するようにしても良い。すなわち、通常モードでは、（イ）に示すように、操作部材が初期位置にある状態（操作角度０°）から、最大操作角度（本実施形態では１６０°としてある）まで操作した際、駆動モータ８の回転速度を可変させるデューティ比の範囲を０％から１００％まで連続的（段階的な変化でも良い）に可変するように制御を行う。そして、釣り人の好みにより、例えば、制御ケース１５に設けられた操作ボタンを操作することで、デューティ比の範囲が可変するように制御を行う。すなわち、（ロ），（ハ）（ニ）…に示すように、デューティ比の範囲を任意に変更することで、同一の操作角度であっても、駆動モータ８の出力が急激に上昇することを防止することが可能となる。この結果、魚が掛かった場合に、急激に駆動モータ８の回転速度が急上昇することを防止することができ、口切れや仕掛けの切断などを防止することが可能となる。
【００５９】
なお、図１３及び図１４では、各操作部材２５，３０の回転角度とデューティ比との関係を、説明上わかり易くするために直線の線形グラフとして示したが、実際には、操作角度の範囲内において、所定の角度ずつ複数段階（例えば０から３０段階）で駆動速度が可変されるように制御されるため、両者の関係については非線形となる。
【００６０】
図１５から図１７はそれぞれ第１操作部材の変形例を示しており、各図における（ａ）は制御ケース部分を示す平面図、各図における（ｂ）は操作部材の断面図、そして、各図における（ｃ）は操作部材の側面図である。
【００６１】
上述したように、第１操作部材を略円筒形状に構成する場合、その形状については種々変形することが可能である。具体的には、回転操作可能であり、その操作表面部が、左右側板と制御ケースとの間でスプールを露出させる開口に面して、サミングしている親指をそのまま延ばして当接できるような形状であれば良い。例えば、図１５に示す操作部材３５は、回転軸３５ａが両軸支持されており、その中間部分が湾曲面によって収縮した鼓形状にすると共に、その周囲に、周方向に沿って連続して凹溝３５ｂを形成している。このような構成では、親指の腹部がフィットし易いと共に、滑りが生じ難くなる。或いは、図１６に示す操作部材４５は、回転軸４５ａが両軸支持されており、その中間部分が湾曲面によって膨出した樽形状にすると共に、その周囲に、周方向に沿って連続して突起４５ｂを形成している。このような構成では、親指の腹部が掛かり易くなって、滑り難く操作性の向上が図れるようになる。或いは、図１７に示す操作部材５５は、回転軸５５ａが両軸支持されており、円筒形状の表面の一部にレバー部５５ｂを形成している。このような構成では、初期値（駆動モータの出力が０）となる位置を明確化することができ、また、置き竿時における揺れる船上においても、レバー部５５ｂを摘んで操作できることから、操作性の向上が図れるようになる。
【００６２】
なお、いずれの操作部材も、上述した実施形態と同様、その動作径（Ｌ１）は、第２操作部材３０のレバー部３０ａの先端までの動作径（Ｌ２）より小さくなるように構成されている。
【００６３】
次に、本発明の別の実施形態について説明する。なお、以下に説明する実施形態では、上述した実施形態と同一の部分については、同一の参照符号を付し、その詳細な説明については省略する。
図１８は、本発明に係る魚釣用電動リールの第２の実施形態を示す図であり、（ａ）は平面図、（ｂ）は第１操作部材を後方側から見た図、（ｃ）は第２操作部材をハンドル側から見た図である。
【００６４】
本実施形態では、制御ケース１５の後端側の表面部に、スプール７の回転軸方向に沿ってスライド可能な第１操作部材部６５を配設すると共に、右側板５Ｂの表面部に、前後方向に沿ってスライド可能な第２操作部材７０を配設している。
【００６５】
このように、第１操作部材及び第２操作部材については、その構成については、回転式や回動式に限定されることはなく、スライド方式にしても良い。また、このような構成においても、第１操作部材６５の大きさ（高さＬ１で定義する）は、第２操作部材７０の大きさ（高さＬ２で定義する）よりも小さく設定されており、両部材の操作性の向上を図っている。すなわち、第１操作部材６５を大きくし過ぎると、逆に、手持ち操作する上でリール本体５を把持した際、操作の妨げになるため、第２操作部材７０よりも小さく設定しておくことが好ましい。
【００６６】
図１９は、本発明に係る魚釣用電動リールの第３の実施形態を示す図であり、（ａ）は平面図、（ｂ）は第１操作部材を後方側から見た図、（ｃ）は第２操作部材をハンドル側から見た図である。
【００６７】
本実施形態では、第２操作部材を、上述した第１の実施形態と同様、レバータイプとしたものである。本実施形態においても、第１操作部材６５の大きさ（高さＬ１で定義する）は、第２操作部材３０の大きさＬ２よりも小さく設定されている。
このように構成しても上記した実施形態と同様な作用効果を得ることが可能である。
【００６８】
以上、本発明の実施形態について説明したが、本発明は、駆動モータ８の出力を制御する操作部材をリール本体に２つ設けたことに特徴がある。すなわち、１つの操作部材は、手持ち状態で操作可能な構成とし、もう１つの操作部材は、置き竿時に容易に操作できるように構成されていれば良く、その形状、操作方法や操作方向などについては、上記した実施形態に限定されることなく、種々変形することが可能である。また、操作部材以外の構成については、上記した実施形態に限定されることはなく、種々変形することが可能である。
【符号の説明】
【００６９】
１  魚釣用電動リール
５  リール本体
５Ａ，５Ｂ  左右側板
６  手動ハンドル
７  スプール
８  駆動モータ
１２  クラッチ機構
１５  制御ケース
２５，３５，４５，５５，６５  第１操作部材
３０，７０  第２操作部材
【図１】
2011250705.tif 000003
【図２】
2011250705.tif 000004
【図３】
2011250705.tif 000005
【図４】
2011250705.tif 000006
【図５】
2011250705.tif 000007
【図６】
2011250705.tif 000008
【図７】
2011250705.tif 000009
【図８】
2011250705.tif 000010
【図９】
2011250705.tif 000011
【図１０】
2011250705.tif 000012
【図１１】
2011250705.tif 000013
【図１２】
2011250705.tif 000014
【図１３】
2011250705.tif 000015
【図１４】
2011250705.tif 000016
【図１５】
2011250705.tif 000017
【図１６】
2011250705.tif 000018
【図１７】
2011250705.tif 000019
【図１８】
2011250705.tif 000020
【図１９】
2011250705.tif 000021